(57)【要約】  【課題】テレビ放送画面内にインターネット情報を組み込んで容易に表示できるようにしたテレビ放送システムを得る。  【解決手段】インターネット送信手段（携帯端末２，２…、及び、コンピュータ３，３…）と、テレビ放送局４内のインターネット受信手段５とをインターネット６を介して接続すると共に、該インターネット受信手段５とテレビ放送用ミキサー７とを情報処理手段８を介して接続し、且つ、該テレビ放送用ミキサー７をテレビ放送手段９に接続して、前記インターネット送信手段から送信される情報をインターネット６を介して前記インターネット受信手段５で受信し、該情報を前記情報処理手段８、前記テレビ放送用ミキサー７及びテレビ放送手段９を介してテレビ放送画面１７内に組み込んで放送するように構成されているテレビ放送システム１を提供する。【選択図】図１
2005192100.tif 000002
【特許請求の範囲】
【請求項１】
インターネット送信手段と、テレビ放送局内のインターネット受信手段とをインターネットを介して接続すると共に、該インターネット受信手段とテレビ放送用ミキサーとを情報処理手段を介して接続し、且つ、該テレビ放送用ミキサーをテレビ放送手段に接続して、前記インターネット送信手段から送信される情報をインターネットを介して前記インターネット受信手段で受信し、該情報を前記情報処理手段、前記テレビ放送用ミキサー及びテレビ放送手段を介してテレビ放送画面内に組み込んで放送するように構成されていることを特徴とするテレビ放送システム。
【請求項２】
上記インターネット送信手段は携帯端末であることを特徴とする請求項１記載のテレビ放送システム。
【請求項３】
上記インターネット送信手段はコンピュータであることを特徴とする請求項１記載のテレビ放送システム。
【請求項４】
上記インターネット送信手段から送信される情報は上記テレビ放送画面内の別画面としてテレビ放送されることを特徴とする請求項１，２又は３記載のテレビ放送システム。
【請求項５】
上記インターネット送信手段はテレビ放送視聴者が送信するための送信手段であることを特徴とする請求項１，２，３又は４記載のテレビ放送システム。
【請求項６】
上記情報処理手段は所定の集計を行う集計手段を備えていることを特徴とする請求項１，２，３，４又は５記載のテレビ放送システム。
【請求項７】
上記情報処理手段は所定の情報を抽出する抽出手段を備えていることを特徴とする請求項１，２，３，４，５又は６記載のテレビ放送システム。
【請求項８】
上記情報処理手段は所定の情報を規制する情報規制手段を備えていることを特徴とする請求項１，２，３，４，５，６又は７記載のテレビ放送システム。
【請求項９】
上記情報は視聴者メッセージ、ショッピング、オークション、フリーマーケット、音楽配信、マーケティング、投票、クイズ及びその他の情報から選択的に選ばれた情報であることを特徴とする請求項１，２，３，４，５，６，７又は８記載のテレビ放送システム。
【発明の詳細な説明】
【技術分野】
【０００１】
本発明は、テレビ放送システムに関するものであり、特に、テレビ放送画面内にインターネットを介して得られる情報を表示可能にしたテレビ放送システムに関するものである。
【背景技術】
【０００２】
従来のテレビ放送システムに於て、テレビ画面内に通常のテレビ画像とは別に文字情報又は画像情報を表示したり、別画面を表示して該別画面内に文字情報及び／又は映像を表示することは可能である。又、テレビ画面内に通常のテレビ放送画面と別にインターネット用ウィンドウを開いてインターネット情報を表示するように構成したテレビ放送システムも知られている（例えば、特許文献１参照）。該テレビ放送システムはテレビ放送の内容に関連するインターネット上のＨＴＭＬを選出し、この選出されたＨＴＭＬ情報信号をテレビ映像信号における最終の走査線の終端から最初の走査線の始端に戻る際の垂直帰線期間の信号部分に合成して合成映像信号として送出し、受信装置で受信された該合成映像信号をテレビ放送の映像信号とＨＴＭＬ情報信号とに分離し、該映像信号による画像と該ＨＴＭＬ情報信号によるインターネット情報とを表示するように構成されている。
【特許文献１】特開２０００−２３１２０号公報
【発明の開示】
【発明が解決しようとする課題】
【０００３】
前述したように、従来のテレビ放送システムはテレビ画面内に文字情報又は画像情報を表示したり、別画面を開いて文字情報や映像を表示することが可能である。又、特許文献１に示されるように、テレビ画面内にインターネット用ウィンドウを開いてインターネット情報を表示するように構成したテレビ放送システムも知られているが、該テレビ放送システムは受信装置に合成映像信号を映像信号とＨＴＭＬ情報信号とに分離する手段が必要となり、受信装置にこのような手段を付加することは受信装置のコスト高を招くことになり、多数の視聴者の受信装置のコストを上げることは困難である。又、このシステムでは従来のテレビ受信装置は利用できないという問題がある。
【０００４】
そこで、テレビ放送画面内にインターネット情報を組み込んで容易に表示できるようにしたテレビ放送システムを得るために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、インターネット送信手段と、テレビ放送局内のインターネット受信手段とをインターネットを介して接続すると共に、該インターネット受信手段とテレビ放送用ミキサーとを情報処理手段を介して接続し、且つ、該テレビ放送用ミキサーをテレビ放送手段に接続して、前記インターネット送信手段から送信される情報をインターネットを介して前記インターネット受信手段で受信し、該情報を前記情報処理手段、前記テレビ放送用ミキサー及びテレビ放送手段を介してテレビ放送画面内に組み込んで放送するように構成されているテレビ放送システムを提供するものである。
【０００６】
この請求項１記載の発明によれば、インターネットを介して受信された情報を容易にテレビ放送画面内に組み込んで放送することができると共に、本画面の付加的な情報が与えられる等、視聴者の受け取る情報量が多くなる利点がある。
【０００７】
又、請求項２記載の発明は、上記インターネット送信手段は携帯端末である請求項１記載のテレビ放送システムを提供するものである。
【０００８】
この請求項２記載の発明によれば、携帯端末から送信されインターネットを介して受信された情報を容易にテレビ放送画面内に組み込んで放送することができる。
【０００９】
更に、請求項３記載の発明は、上記インターネット送信手段はコンピュータである請求項１記載のテレビ放送システムを提供するものである。
【００１０】
この請求項３記載の発明によれば、コンピュータから送信されインターネットを介して受信された情報を容易にテレビ放送画面内に組み込んで放送することができる。
【００１１】
更に又、請求項４記載の発明は、上記インターネット送信手段から送信される情報は上記テレビ放送画面内の別画面としてテレビ放送される請求項１，２又は３記載のテレビ放送システムを提供するものである。
【００１２】
この請求項４記載の発明によれば、テレビ放送画面内の別画面としてテレビ放送されることにより、前記情報が見易くなると共に、別画面として画面の拡縮、画面の色制御等、自由な画面制御が可能となる。
【００１３】
そして、請求項５記載の発明は、上記インターネット送信手段はテレビ放送視聴者が送信するための送信手段である請求項１，２，３又は４記載のテレビ放送システムを提供するものである。
【００１４】
この請求項５記載の発明によれば、テレビ放送視聴者からの発信情報をテレビ放送することができる。
【００１５】
更に、請求項６記載の発明は、上記情報処理手段は所定の集計を行う集計手段を備えている請求項１，２，３，４又は５記載のテレビ放送システムを提供するものである。
【００１６】
この請求項６記載の発明によれば、インターネットを介して受信した情報を集計することが可能となる。
【００１７】
更に又、請求項７記載の発明は、上記情報処理手段は所定の情報を抽出する抽出手段を備えている請求項１，２，３，４，５又は６記載のテレビ放送システムを提供するものである。
【００１８】
この請求項７記載の発明によれば、インターネットを介して受信した情報を抽出することが可能となる。
【００１９】
又、請求項８記載の発明は、上記情報処理手段は所定の情報を規制する情報規制手段を備えている請求項１，２，３，４，５，６又は７記載のテレビ放送システムを提供するものである。
【００２０】
この請求項８記載の発明によれば、所定の情報の放送を規制することにより、放送上の規制に対応した放送が可能となる。
【００２１】
そして、請求項９記載の発明は、上記情報は視聴者メッセージ、ショッピング、オークション、フリーマーケット、音楽配信、マーケティング、投票、クイズ及びその他の情報から選択的に選ばれた情報である請求項１，２，３，４，５，６，７又は８記載のテレビ放送システムを提供するものである。
【００２２】
この請求項９記載の発明によれば、視聴者メッセージ、ショッピング、オークション、フリーマーケット、音楽配信、マーケティング、投票、クイズ或いはその他の情報をインターネットを介して受信し、適宜、選択し、処理してテレビ放送することが可能になる。
【発明の効果】
【００２３】
本発明の請求項１記載の発明は、インターネット送信手段と、テレビ放送局内のインターネット受信手段とをインターネットを介して接続すると共に、該インターネット受信手段とテレビ放送用ミキサーとを情報処理手段を介して接続し、且つ、該テレビ放送用ミキサーをテレビ放送手段に接続して、前記インターネット送信手段から送信される情報をインターネットを介して前記インターネット受信手段で受信し、該情報を前記情報処理手段、前記テレビ放送用ミキサー及びテレビ放送手段を介してテレビ放送画面内に組み込んで放送するように構成されているテレビ放送システムであるので、インターネットを介して受信された情報を容易にテレビ放送画面内に組み込んで放送することができると共に、本画面の付加的な情報が与えられる等、視聴者の受け取る情報量が多くなる利点がある。
【００２４】
又、請求項２記載の発明は、上記インターネット送信手段は携帯端末であるので請求項１記載の発明の効果に加え、携帯端末から送信されインターネットを介して受信された情報を容易にテレビ放送画面内に組み込んで放送することができる。
【００２５】
更に、請求項３記載の発明は、上記インターネット送信手段はコンピュータであるので請求項１記載の発明の効果に加え、コンピュータから送信されインターネットを介して受信された情報を容易にテレビ放送画面内に組み込んで放送することができる。
【００２６】
更に又、請求項４記載の発明は、上記インターネット送信手段から送信される情報は上記テレビ放送画面内の別画面としてテレビ放送されるので請求項１，２又は３記載の発明の効果に加え、テレビ放送画面内の別画面としてテレビ放送されることにより、前記情報が見易くなると共に、別画面として画面の拡縮、画面の色制御等、自由な画面制御が可能となる。
【００２７】
そして、請求項５記載の発明は、上記インターネット送信手段はテレビ放送視聴者が送信するための送信手段であるので請求項１，２，３又は４記載の発明の効果に加え、テレビ放送視聴者からの発信情報をテレビ放送することができる。
【００２８】
更に、請求項６記載の発明は、上記情報処理手段は所定の集計を行う集計手段を備えているので請求項１，２，３，４又は５記載の発明の効果に加え、インターネットを介して受信した情報を集計することが可能となる。
【００２９】
更に又、請求項７記載の発明は、上記情報処理手段は所定の情報を抽出する抽出手段を備えているので、請求項１，２，３，４，５又は６記載の発明の効果に加え、インターネットを介して受信した情報を抽出することが可能となる。
【００３０】
又、請求項８記載の発明は、上記情報処理手段は所定の情報を規制する情報規制手段を備えているので請求項１，２，３，４，５，６又は７記載の発明の効果に加え、所定の情報の放送を規制することにより、放送上の規制に対応した放送が可能となる。
【００３１】
そして、請求項９記載の発明は、上記情報は視聴者メッセージ、ショッピング、オークション、フリーマーケット、音楽配信、マーケティング、投票、クイズ及びその他の情報から選択的に選ばれた情報であるので、請求項１，２，３，４，５，６，７又は８記載の発明の効果に加え、視聴者メッセージ、ショッピング、オークション、フリーマーケット、音楽配信、マーケティング、投票、クイズ或いはその他の情報をインターネットを介して受信し、適宜、選択し、処理してテレビ放送することが可能になる等、著大なる効果を奏する発明である。
【発明を実施するための最良の形態】
【００３２】
テレビ放送画面内にインターネット情報を組み込んで容易に表示できるようにしたテレビ放送システムを得るという目的を、インターネット送信手段から送信される情報をインターネットを介してインターネット受信手段で受信し、該情報を情報処理手段、テレビ放送用ミキサー及びテレビ放送手段を介してテレビ放送画面内に組み込んで放送するように構成されているテレビ放送システムにより達成した。
【実施例１】
【００３３】
以下、本発明の一実施の形態を図１乃至図３に従って詳述する。図１に於て、１は本発明のテレビ放送システムを示し、該テレビ放送システム１はテレビ視聴者が操作するインターネット送信手段である携帯電話、ＰＤＡ、ＰＨＳ等の携帯端末２，２…、或いは、パソコン、ワークステーション等のコンピュータ３，３…と、テレビ放送局４内のインターネット受信手段５とをインターネット６を介して接続すると共に、該インターネット受信手段５とテレビ放送用ミキサー７とを情報処理手段８を介して接続し、且つ、該テレビ放送用ミキサー７をテレビ放送手段９に接続したものである。尚、図に於て、１０，１０…は前記携帯端末２，２…、或いは、コンピュータ３，３…を操作するテレビ視聴者が視聴するテレビであり、１１は前記テレビ放送局４のテレビ放送手段９から送られるテレビ放送情報を無線発信するテレビ塔である。又、１２は前記携帯端末２，２…と交信して信号を中継するための基地局であり、該基地局１２は前記インターネット６に接続されている。
【００３４】
図２は前記情報処理手段８を示し、該情報処理手段８は情報を集計する集計手段１３、情報を抽出する抽出手段１４、及び、放送上問題となる所定の情報を放送しないように規制して放送上の規制に対応するための情報規制手段１５等を備えている。
【００３５】
図３は前記テレビ１０を示し、該テレビ１０の表示部１６に本発明のテレビ放送が表示される場合は、該表示部１６の全面に所定のチャンネルのテレビ放送画面（本画面）１７が表示されると共に、該テレビ放送画面１７内に別画面１８が表示され、該別画面１８内に前記インターネット６を介して前記放送局４のインターネット受信手段５に受信されるインターネット情報のうち所定の情報又は加工された情報が表示される。
【００３６】
該別画面１８には、例えば、視聴者メッセージ、ショッピング、オークション、フリーマーケット、音楽配信、マーケティング、投票、クイズ及びその他の情報等の文字情報、画像情報及び動画情報を表示することが可能である。尚、該別画面１８は画面の拡縮、画面の色制御等、自由な画面制御が可能である。
【００３７】
又、同時に前記テレビ放送用ミキサー７内で音声を組み込むことにより、該別画面１８に対応する音声情報を前記テレビ１０のスピーカー（図示せず）から流すことも可能である。
【００３８】
而して、例えば、前記別画面１８に視聴者メッセージを表示する場合について説明すると、前記携帯端末２，２…、或いは、コンピュータ３，３…から視聴者メッセージ情報が発信されると、前記携帯端末２，２…が発信する視聴者メッセージ情報は前記基地局１２及び前記インターネット６を介して前記テレビ放送局４のインターネット受信手段５に受信され、前記コンピュータ３，３…が発信する視聴者メッセージ情報は該インターネット６を介して前記テレビ放送局４のインターネット受信手段５に受信される。
【００３９】
そして、前記視聴者メッセージ情報は、例えば、前記情報処理手段１３内の前記抽出手段１４によって適宜受信順、或いはランダムに抽出される等、所定の方法で抽出され、更に、前記情報規制手段１５を介して所定の情報を規制された後、所定チャンネルのテレビ放送情報に所定の方法で組み込まれて前記テレビ放送手段９から前記テレビ塔１１に送られ、該テレビ塔１１から前記テレビ１０，１０…に向けて無線発信される。
【００４０】
更に、前記視聴者メッセージ情報が組み込まれたテレビ放送情報が前記テレビ１０に受信されると、該テレビ１０の表示部１６にテレビ放送画面１７が表示されると共に、該テレビ放送画面１７内に組み込まれて表示される前記別画面１８に前記視聴者メッセージ情報が表示される。
【００４１】
従って、テレビ視聴者は該テレビ放送画面１７と共に、該別画面１８で視聴者メッセージ情報を見ることができ、特に、該視聴者メッセージ情報が該テレビ放送画面１７に関するメッセージである場合は、他の視聴者のメッセージを見ながら同時に該テレビ放送画面１７を関連させて視聴できることになり、他の視聴者の該テレビ放送画面１７に関する考え、意見を知ることができると共に、このようなメッセージを見ることにより、他の視聴者と一緒にテレビ視聴しているような感覚を得ることができる。
【００４２】
又、該テレビ視聴者も該テレビ放送画面１７及び／又は別画面１８を見て視聴者メッセージ情報を前記携帯端末２又はコンピュータ３を操作して発信することができる。
【００４３】
尚、前記別画面１８に表示される情報は前記テレビ放送画面１７と関連するものでなくとも良い。
【００４４】
又、例えば、前記別画面１８にショッピング情報を表示する場合は、テレビ放送画面１７にテレビショッピングの対象となる商品を表示して、それを見た視聴者が購入申し込みの情報を前記携帯端末２，２…、或いは、コンピュータ３，３…から発信すると、該情報が前記集計手段１３で集計されて、例えば、商品の残りの在庫数を前記別画面１８に表示することができる。尚、テレビショッピングの対象となる商品映像を視聴者が送信し、該商品映像を該別画面１８内に表示することも可能であり、同時に残りの在庫数を表示することも可能である。
【００４５】
更に、例えば、前記別画面１８にフリーマーケット情報を表示する場合は、視聴者が物品及び該物品の価格等のフリーマーケット情報を前記携帯端末２，２…、或いは、コンピュータ３，３…から発信すると、該情報が例えば適宜前記抽出手段１４で抽出されて、前記別画面１８に表示される。
【００４６】
更に又、例えば、前記別画面１８にオークション情報を表示する場合は、テレビ放送画面１７にオークションの対象となる物品を表示して、それを見た視聴者が落札希望価格情報を前記携帯端末２，２…、或いは、コンピュータ３，３…から発信すると、該情報のうち最も高額な情報が前記抽出手段１４で抽出されて、前記別画面１８に落札希望価格の最高額として表示することができる。又、オークションの対象となる物品画像をテレビ視聴者が送信し、該物品画像を該別画面１８に表示することも可能であり、同時に落札希望価格の最高額を表示することも可能である。
【００４７】
そして、例えば、前記別画面１８に音楽配信情報を表示する場合は、テレビ放送画面１７に音楽配信情報を表示し、更に、スピーカーから音楽を出力して、それを視聴したテレビ視聴者が申込み情報を前記携帯端末２，２…、或いは、コンピュータ３，３…から発信すると、前記集計手段１３によって申込み数が集計されて前記別画面１８に表示され、所定の申込み数以上になった時に、音楽配信を実行するようにすることも可能である。
【００４８】
又、例えば、前記別画面１８に投票情報を表示する場合は、テレビ放送画面１７に投票するための関連情報を表示して、それを見た視聴者が前記携帯端末２，２…、或いは、コンピュータ３，３…から投票情報を発信すると、該情報が前記集計手段１３で集計されて、前記別画面１８に投票結果が表示される。尚、投票関連情報を前記携帯端末２，２…、或いは、コンピュータ３，３…から送信し、該投票関連情報の映像を該別画面１８に表示することも可能であり、同時に投票結果を表示することも可能である。
【００４９】
尚、詳細は省略するが、前記テレビ放送システム１によって、前記別画面１８にマーケティング情報、或いは、クイズ情報を表示することも可能であり、その他、種々の利用が可能である。
【００５０】
斯くして、本発明のテレビ放送システム１はインターネット６を介して受信された情報を容易にテレビ放送画面１７内に組み込んで放送することができると共に、本画面の付加的な情報等、視聴者の受け取る情報量が多くなり、且つ、該情報を受信するために従来のテレビ受信装置を改良する必要もない。
【００５１】
又、前記インターネット送信手段から送信される情報は前記テレビ放送画面１７内の別画面１８としてテレビ放送されるので、テレビ放送画面内の別画面としてテレビ放送されることにより、前記情報が見易くなると共に、別画面として画面の拡縮、画面の色制御等、自由な画面制御が可能となる。
【００５２】
更に、テレビ放送視聴者からの発信情報をテレビ放送することができる。
【００５３】
更に又、インターネットを介して受信した情報を処理することが可能であり、処理した情報を見易くテレビ放送することができる。
【００５４】
そして、情報規制手段を備えているので、放送上の規制に対応した放送が可能となる。
【００５５】
又、視聴者メッセージ、ショッピング、オークション、フリーマーケット、音楽配信、マーケティング、投票、クイズ或いはその他の情報をインターネットを介して受信し、適宜、選択し、処理してテレビ放送することが可能になる。
【００５６】
尚、前記別画面１８に表示される情報は、テレビ視聴者から発信される情報に限定されず、インターネット６を介して取得される種々の情報が対象となる。
【００５７】
又、前述の説明に於て、前記インターネット情報は前記別画面１８に表示されたが、該別画面１８に変えて、前記テレビ放送画面１７内にスーパーインポーズ表示することも可能であり、然る時も同様の効果が期待できる。
【００５８】
更に、本発明は、本発明の精神を逸脱しない限り種々の改変を為すことができ、そして、本発明が該改変されたものに及ぶことは当然である。
【図面の簡単な説明】
【００５９】
【図１】本発明の一実施の形態を示し、テレビ放送システムの説明図。
【図２】本発明の一実施の形態を示し、テレビ放送用ミキサーの説明図。
【図３】本発明の一実施の形態を示し、テレビ画面の説明図。
【符号の説明】
【００６０】
１    テレビ放送システム
２    携帯端末
３    コンピュータ
４    テレビ放送局
５    インターネット受信手段
６    インターネット
７    テレビ放送用ミキサー
８    情報処理手段
９    テレビ放送手段
１３    情報処理手段
１３    集計手段
１４    抽出手段
１５    情報規制手段
１７    テレビ放送画面
１８    別画面
【図１】
2005192100.tif 000003
【図２】
2005192100.tif 000004
【図３】
2005192100.tif 000005